【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
少なくとも下記のｉ）、ｉｉ）、ｉｉｉ）の反応生成物を含む第一のエラストマーポリマー組成物。
ｉ）リビングアニオンエラストマーポリマー
ｉｉ）式１または式２によって表わされるシラン変性剤化合物
（Ｒ１Ｏ）３Ｓｉ−Ｒ４−Ｓ−ＳｉＲ３３      （式１）
（Ｒ13Ｏ）３Ｓｉ−Ｒ９−Ｎ（ＳｉＲ10Ｒ11Ｒ12）２      （式２）
（式中、
Ｓｉはケイ素であり、Ｓは硫黄であり、Ｏは酸素であり、Ｎは窒素であり、
Ｒ４およびＲ９は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１つで置換されていてもよく、アルキルは、各々、線状でも分枝でもよく、飽和でも不飽和でもよい。）であり、
Ｒ１、Ｒ３、Ｒ10、Ｒ11、Ｒ12およびＲ13は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
ｉｉｉ）式３〜式６の１つによって表わされる変性剤化合物
（Ｒ１Ｏ）ｘ（Ｒ２）ｙＳｉ−Ｒ４−Ｓ−ＳｉＲ３３      （式３）
（Ｒ13Ｏ）ｐ（Ｒ14）ｑＳｉ−Ｒ９−Ｎ（ＳｉＲ10Ｒ11Ｒ12）２      （式４）
【化１】
2011522928.tif 000001
【化２】
2011522928.tif 000002
（式中、
Ｓｉはケイ素であり、Ｓは硫黄であり、Ｏは酸素であり、Ｎは窒素であり、
ｘおよびｐは１および２から選択される整数であり、
ｙおよびｑは１および２から選択される整数であり、
ｘ＋ｙ＝３、ｐ＋ｑ＝３、
Ｒ４、Ｒ９およびＲ15は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１種で置換されていてもよく、そしてアルキルは、各々、線状でも分枝でもよく、飽和でも不飽和でもよい。）であり、
Ｒ１、Ｒ２、Ｒ３、Ｒ５、Ｒ６、Ｒ７、Ｒ８、Ｒ10、Ｒ11、Ｒ12、Ｒ13、Ｒ14、Ｒ16、Ｒ17、Ｒ18、Ｒ19、Ｒ20、およびＲ21は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
【請求項２】
少なくとも
１）充填剤、
２）請求項１に記載の第一のエラストマーポリマー組成物
の反応生成物を含む第二のエラストマーポリマー組成物。
【請求項３】
少なくとも
１）充填剤、
２）加硫剤、および
３）請求項１に記載の第一のエラストマーポリマー組成物
の反応生成物を含む加硫したエラストマーポリマー組成物。
【請求項４】
成分ｉと成分ｉｉを最初に反応させて第一の変性ポリマーを形成し、次いで第一の変性ポリマーを成分ｉｉｉと反応させることを特徴とする請求項１〜３のいずれか１項に記載の組成物。
【請求項５】
シラン変性剤（成分ｉｉ）が式１の化合物であることを特徴とする請求項１〜３のいずれか１項に記載の組成物。
【請求項６】
シラン変性剤（成分ｉｉ）が式２の化合物であることを特徴とする請求項１〜３のいずれか１項に記載の組成物。
【請求項７】
エラストマーポリマーが、スチレン−ブタジエンコポリマー、ポリブタジエン、ブタジエン−イソプレンコポリマー、ポリイソプレンおよびブタジエン−スチレン−イソプレンターポリマーからなる群から選択されることを特徴とする請求項１〜６のいずれか１項に記載の組成物。
【請求項８】
請求項１〜７のいずれか１項に記載の組成物から形成された少なくとも１つの部品を含む物品。
【請求項９】
物品がタイヤであることを特徴とする請求項８に記載の物品。
【請求項１０】
少なくとも下記のｉ）、ｉｉ）およびｉｉｉ）を含む組成物。
ｉ）リビングアニオンエラストマーポリマー
ｉｉ）式１または式２によって表わされるシラン変性剤化合物
（Ｒ１Ｏ）３Ｓｉ−Ｒ４−Ｓ−ＳｉＲ３３      （式１）
（Ｒ13Ｏ）３Ｓｉ−Ｒ９−Ｎ（ＳｉＲ10Ｒ11Ｒ12）２      （式２）
（式中、
Ｓｉはケイ素であり、Ｓは硫黄であり、Ｏは酸素であり、Ｎは窒素であり、
Ｒ４およびＲ９は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１つで置換されていてもよく、アルキルは、各々、線状でも分枝でもよく、飽和でも不飽和でもよい。）であり、
Ｒ１、Ｒ３、Ｒ10、Ｒ11、Ｒ12およびＲ13は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
ｉｉｉ）式３〜式６の１つによって表わされる変性剤化合物
（Ｒ１Ｏ）ｘ（Ｒ２）ｙＳｉ−Ｒ４−Ｓ−ＳｉＲ３３      （式３）
（Ｒ13Ｏ）ｐ（Ｒ14）ｑＳｉ−Ｒ９−Ｎ（ＳｉＲ10Ｒ11Ｒ12）２      （式４）
【化３】
2011522928.tif 000003
【化４】
2011522928.tif 000004
（式中、
Ｓｉはケイ素であり、Ｓは硫黄であり、Ｏは酸素であり、Ｎは窒素であり、
ｘおよびｐは１および２から選択される整数であり、
ｙおよびｑは１および２から選択される整数であり、
ｘ＋ｙ＝３、ｐ＋ｑ＝３、
Ｒ４、Ｒ９およびＲ15は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１種で置換されていてもよく、そしてアルキルは、各々、線状でも分枝でもよく、飽和でも不飽和でもよい。）であり、
Ｒ１、Ｒ２、Ｒ３、Ｒ５、Ｒ６、Ｒ７、Ｒ８、Ｒ10、Ｒ11、Ｒ12、Ｒ13、Ｒ14、Ｒ16、Ｒ17、Ｒ18、Ｒ19、Ｒ20、およびＲ21は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
【請求項１１】
シラン変性剤（成分ｉｉ）が式１の化合物であることを特徴とする請求項１０に記載の組成物。
【請求項１２】
シラン変性剤（成分ｉｉ）が式２の化合物であることを特徴とする請求項１０に記載の組成物。
【請求項１３】
エラストマーポリマーが、スチレン−ブタジエンコポリマー、ポリブタジエン、ブタジエン−イソプレンコポリマー、ポリイソプレンおよびブタジエン−スチレン−イソプレンターポリマーからなる群から選択されることを特徴とする請求項１０〜１２のいずれか１項に記載の組成物。
【請求項１４】
さらに充填剤を含む請求項１０〜１３のいずれか１項に記載の組成物。
【請求項１５】
さらに加硫剤を含む請求項１０〜１４のいずれか１項に記載の組成物。
【請求項１６】
スチレン−ブタジエンコポリマー、ポリブタジエン、ブタジエン−イソプレンコポリマー、ポリイソプレン、ブタジエン−スチレン−イソプレンターポリマーおよびそれらの組合わせからなる群から選択される少なくとも１種のポリマーをさらに含む請求項１０〜１５のいずれか１項に記載の組成物。
【請求項１７】
請求項１０〜１６のいずれか１項に記載の組成物から形成された少なくとも１つの部品を含む物品。
【請求項１８】
下記の工程Ａ）、Ｂ）を含む、第一のエラストマーポリマー組成物を作る方法。
Ａ）少なくとも下記の成分ｉ）およびｉｉ）を反応させて、第一の変性ポリマーを形成する工程
ｉ）リビングアニオンエラストマーポリマー
ｉｉ）式１または式２によって表わされるシラン変性剤化合物
（Ｒ１Ｏ）３Ｓｉ−Ｒ４−Ｓ−ＳｉＲ３３      （式１）
（Ｒ13Ｏ）３Ｓｉ−Ｒ９−Ｎ（ＳｉＲ10Ｒ11Ｒ12）２      （式２）
（式中、
Ｓｉはケイ素であり、Ｓは硫黄であり、Ｏは酸素であり、Ｎは窒素であり、
Ｒ４およびＲ９は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１つで置換されていてもよく、アルキルは、各々、線状でも分枝でもよく、飽和でも不飽和でもよい。）であり、
Ｒ１、Ｒ３、Ｒ10、Ｒ11、Ｒ12およびＲ13は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
Ｂ）第一の変性ポリマーを少なくとも下記の成分ｉｉｉ）と反応させて、第一のエラストマーポリマーを形成する工程
ｉｉｉ）下記の式３〜式６の１つによって表わされる変性剤化合物
（Ｒ１Ｏ）ｘ（Ｒ２）ｙＳｉ−Ｒ４−Ｓ−ＳｉＲ３３      （式３）
（Ｒ13Ｏ）ｐ（Ｒ14）ｑＳｉ−Ｒ９−Ｎ（ＳｉＲ10Ｒ11Ｒ12）２      （式４）
【化５】
2011522928.tif 000005
【化６】
2011522928.tif 000006
（式中、
Ｓｉはケイ素であり、Ｓは硫黄であり、Ｏは酸素であり、Ｎは窒素であり、
ｘおよびｐは１および２から選択される整数であり、
ｙおよびｑは１および２から選択される整数であり、
ｘ＋ｙ＝３、ｐ＋ｑ＝３、
Ｒ４、Ｒ９およびＲ15は、同じか異なり、各々独立に、（Ｃ７−Ｃ１００）アラルキル、（Ｃ６−Ｃ１００）アリール、（Ｃ１−Ｃ１００）アルキル、または（Ｃ２−Ｃ１００）ジアルキルエーテル（アルキル−Ｏ−アルキル）から選択される基（ただし、各々の基は、（Ｃ１−Ｃ４）アルキル、（Ｃ１−Ｃ４）アルコキシ、（Ｃ７−Ｃ１６）アリール、（Ｃ７−Ｃ１６）アラルキル、アミン、チオアルキル、またはそれらの組合わせの少なくとも１種で置換されていてもよく、そしてアルキルは、各々、線状でも分枝でもよく、飽和でも不飽和でもよい。）であり、
Ｒ１、Ｒ２、Ｒ３、Ｒ５、Ｒ６、Ｒ７、Ｒ８、Ｒ10、Ｒ11、Ｒ12、Ｒ13、Ｒ14、Ｒ16、Ｒ17、Ｒ18、Ｒ19、Ｒ20、およびＲ21は、同じか異なり、各々独立に、水素（Ｈ）、（Ｃ１−Ｃ１６）アルキル、（Ｃ６−Ｃ１６）アリール、（Ｃ７−Ｃ１６）アラルキルまたは（Ｃ３−Ｃ３０）トリ（ヒドロカルビル）シリル（ただし、ヒドロカルビル基は、各々独立に、（Ｃ１−Ｃ１６）アルキル、（Ｃ６−Ｃ１６）アリール、または（Ｃ７−Ｃ１６）アラルキルから選択される。）から選択される。）
【請求項１９】
少なくとも下記の成分１）、２）および３）を反応させる工程を含む、加硫したエラストマーポリマー組成物を作る方法。
１）充填剤、
２）加硫剤、および
３）請求項１に記載の第一のエラストマーポリマー組成物。